(57)【要約】【課題】筐体の一面に対し、この筐体の内部に配置された押圧式スイッチを有する電子機器においてガタツキの少ない押圧感触のよい操作キーを設ける。【解決手段】正面側キャビネット３に押圧式スイッチ５０に対応して形成したスイッチ用貫通孔３２に挿通される押し子部４２及びこの押し子部４２に連続して外観に露出するキートップ４１を有する操作キー４０を設ける。操作キー４０にスイッチ用貫通孔３２及びその周縁に接触してガタツキを防止する複数のガタツキ防止部４４ａ〜４４ｄを設ける。【選択図】図１
2016031834.tif 000002
【特許請求の範囲】
【請求項１】
筐体の一面に対して該筐体の内部に配置された押圧式スイッチを有する電子機器において、
上記筐体の一面に上記押圧式スイッチに対応して形成されたスイッチ用貫通孔に挿通される押し子部及び該押し子部に連続して外観に露出するキートップを有する操作キーを備え、
上記操作キーは、上記スイッチ用貫通孔の内周面又は該内周面に連続する周縁に接触してガタツキを防止する複数のガタツキ防止部を備えている
ことを特徴とする電子機器。
【請求項２】
請求項１に記載の電子機器において、
上記筐体は、外周縁に向かって湾曲して厚さが薄くなっており、上記押し子部が該筐体の厚さ方向に薄い板状に形成されている
ことを特徴とする電子機器。
【請求項３】
請求項１又は２に記載の電子機器において、
上記キートップにおける上記押圧式スイッチの押込方向に垂直な方向の中心位置と、該押圧式スイッチの押圧部における上記押込方向に垂直な方向の中心位置とがずれている
ことを特徴とする電子機器。
【請求項４】
請求項１から３までのいずれか１つに記載の電子機器において、
上記筐体は、少なくとも樹脂部分を有する成形品よりなるキャビネットを含み、
上記キャビネットの樹脂部分によって上記押圧式スイッチの反力を受ける反力受部と、上記スイッチ用貫通孔とが形成されている
ことを特徴とする電子機器。
【請求項５】
請求項４に記載の電子機器において、
上記押圧式スイッチは、防水式のフレキシブル基板に一体に設けられ、
上記反力受部には、上記フレキシブル基板の接続部を挿通させるフレキ用貫通孔が形成され、該フレキ用貫通孔が防水部材により防水されている
ことを特徴とする電子機器。
【請求項６】
請求項１から４までのいずれか１つに記載の電子機器において、
上記スイッチ用貫通孔の奥側周縁には、防水シートが貼り付けられ、上記押圧式スイッチが上記防水シートを介して上記押し子部に押圧されるように構成されている
ことを特徴とする電子機器。
【請求項７】
請求項１から６までのいずれか１つに記載の電子機器において、
上記押し子部における上記スイッチ用貫通孔を超えて挿入された部分には、鉤状の抜け止め部が形成されている
ことを特徴とする電子機器。
【発明の詳細な説明】
【技術分野】
【０００１】
本発明は、筐体の一面に対して該筐体の内部に配置された押圧式スイッチを有する電子機器に関するものである。
【背景技術】
【０００２】
従来より、スマートフォンのように矩形板状筐体の一面の内部に押圧式スイッチが内蔵された電子機器は知られている。このような押圧式スイッチを操作するための操作キーは、ガタツキが少なくて組み付けしやすい必要がある。
【０００３】
そこで、例えば、特許文献１のように、スイッチと、第１の突起とスイッチを押すための第２の突起と弾力性を持つストッパー爪とを有するキートップと、キートップのシーソー動作時の支点となるとともにキートップのストッパー爪を係合して保持する中心軸と周辺から中心軸に向かって延びており第１の突起に当接するばねとを有するケースとを具備する電子機器が知られている。
【先行技術文献】
【特許文献】
【０００４】
【特許文献１】特開平１１−９６８５１号公報
【発明の概要】
【発明が解決しようとする課題】
【０００５】
しかしながら、上記特許文献１のものは、キートップを保持する支持軸を有する構造に限定されると共に、電子機器の厚さを薄くするという点が考慮されていない。
【０００６】
また、例えば筐体が湾曲した外表面を有する場合、所定の幅が必要な押圧式スイッチを幅の狭い側面に設けるためには、押圧スイッチを側面から露出するキートップから離れた奥側に設けなければならない。
【０００７】
そうすると、キートップから押圧式スイッチまでの距離が長くなり、操作キーが傾きやすくなって押圧時の感触が悪くなり、操作性が悪化するという問題があった。
【０００８】
本発明は、かかる点に鑑みてなされたものであり、その目的とするところは、筐体の一面に対して筐体の内部に配置された押圧式スイッチを有する電子機器においても、ガタツキの少ない押圧感触のよい操作キーを設けることにある。
【課題を解決するための手段】
【０００９】
上記の目的を達成するために、この発明では、複数のガタツキ防止部を有する操作キーを設けた。
【００１０】
具体的には、本発明では、筐体の一面に対して該筐体の内部に配置された押圧式スイッチを有する電子機器を前提とし、
上記電子機器は、
上記筐体の一面に上記押圧式スイッチに対応して形成されたスイッチ用貫通孔に挿通される押し子部及び該押し子部に連続して外観に露出するキートップを有する操作キーを備え、
上記操作キーは、上記スイッチ用貫通孔の内周面又は該内周面に連続する周縁に接触してガタツキを防止する複数のガタツキ防止部を備えている。
【００１１】
上記の構成によると、操作キーに複数のガタツキ防止部を設けてスイッチ用貫通孔内周面又は内周面に連続する周縁に当接させるようにしたので、押圧式スイッチを筐体の一面の奥側に設けても、操作キーが傾かず押圧感触が悪化しない。このため、厚さの薄くなった筐体の一面の奥側でも押圧式スイッチを配置することができる。
【発明の効果】
【００１２】
以上説明したように、本発明によれば、操作キーにスイッチ用貫通孔内周面又は内周面に連続する周縁に接触してガタツキを防止する複数のガタツキ防止部を設けたので、厚さの薄くなった筐体の一面の奥側でも、ガタツキの少ない押圧感触のよい操作キーを設けることができる。
【図面の簡単な説明】
【００１３】
【図１】図２（ｂ）のＩ−Ｉ線拡大断面図である。
【図２】本発明の実施形態に係る携帯電話機を示し、（ａ）が正面側から見た斜視図であり、（ｂ）が背面側から見た斜視図である。
【図３】携帯電話機を示す分解斜視図である。
【図４】図２（ｂ）のIV−IV線拡大断面図である。
【図５】（ａ）及び（ｂ）はそれぞれ異なる方向から見た操作キーを示す斜視図である。
【図６】押圧式スイッチ及びその周辺が見えるようにした拡大斜視図である。
【図７】実施形態２に係る図１相当図である。
【図８】実施形態３に係る防水構造が見えるようにした拡大斜視図である。
【図９】図８のIX−IX線拡大断面図である。
【図１０】実施形態４に係る操作キーを拡大して示す斜視図である。
【発明を実施するための形態】
【００１４】
以下、本発明の実施形態を図面に基づいて説明する。
【００１５】
（実施形態１）
図１〜図４は本発明の実施形態１の電子機器としての携帯電話機１を示し、この携帯電話機１は、例えば手で持ちやすいように上下に長い略直方体状であり、表示部２を正面側に収容する、キャビネットとしての正面側キャビネット３と、この正面側キャビネット３の背面を覆う背面側キャビネット４と、この背面側キャビネット４の背面を覆うリアカバー５とを備えている。正面側キャビネット３と背面側キャビネット４との間には、例えば充電池６や回路基板７が収容されている。正面側キャビネット３、背面側キャビネット４及びリアカバー５は、デザイン性、操作性のために、背面側が外周縁に向かって薄くなるように湾曲している。なお、本実施形態では、携帯電話機１の筐体は、これら正面側キャビネット３と、背面側キャビネット４と、リアカバー５とで構成されている。筐体全体として背面側のみが湾曲しているが、正面側のみ湾曲していてもよく、正面及び背面が湾曲していてもよい。筐体は、正面側キャビネット３と背面側キャビネット４のみで構成されていてもよい。
【００１６】
表示部２は、例えばアクリル板、ガラス板等よりなる透明なカバー部材２０と、このカバー部材２０の背面に貼り付けられるタッチパネル２１と、このタッチパネル２１の背面に貼り付けられる液晶ユニット２２と、この液晶ユニット２２を照らすバックライト２３とを備えている。
【００１７】
正面側キャビネット３は、略矩形板状をしており、樹脂部分３０に矩形板状のフレーム板金３１がインサート成形されている。なお、正面側キャビネット３は、インサート成形品でなくてもよく、樹脂のみで成形されていてもよい。例えば、樹脂部分３０の正面から見て左側面上側には、上下に長細いスイッチ用貫通孔３２が貫通形成されている。スイッチ用貫通孔３２の周縁には、スイッチ用貫通孔３２の内周面よりも内側寸法が若干広くなったキートップ収容凹部３２ａが正面側キャビネット３の左側面よりも低くなるように凹陥されている。
【００１８】
このスイッチ用貫通孔３２には、例えばシーソー式の操作キー４０が収容されている。この操作キー４０に対応させて本実施形態では、正面側キャビネット３の左側面（筐体の一面）の奥側に２つの押圧式スイッチ５０が配置されている。押圧式スイッチ５０は、スイッチ用フレキシブル基板５１に貼り付けられて電気的に接続されている。押圧式スイッチ５０の大きさ（図１の上下長さ）は、押圧感触を保つためにある程度必要である。このため、湾曲した筐体内に納めるために、押圧式スイッチ５０は、従来よりも左側面から奥側（図１の左側）に配置されている。そして、このスイッチ用フレキシブル基板５１の奥側には、樹脂部分３０の一部が背面側へ垂直に隆起するように反力受部３３が一体成形されている。押圧式スイッチ５０が押されたときの反力を受けると共に、スイッチ用フレキシブル基板５１を保持する役割を果たしている。
【００１９】
操作キー４０は、図５にも示すように、例えば、適度な剛性及び弾性を有する樹脂成形品よりなり、外観に露出する上下に長いキートップ４１を備えている。そのキートップ４１から一対の押圧式スイッチ５０に向けて一対の押し子部４２が延びている。一対の押し子部４２は、板状の連結部４３で互いに連結されており、押し子部４２及び連結部４３の全体が板状となっている。押し子部４２及び連結部４３の厚さは、操作キー４０をスイッチ用貫通孔３２に挿入するときに挿入しやすく且つ損傷しない剛性を有する程度に保たれている。図１に示すように、キートップ４１の内周面とキートップ収容凹部３２ａ底面との間のキーストロークＳは、押圧式スイッチ５０が反応する押圧深さよりも大きく保たれている。
【００２０】
そして、図１に示すように、キートップ４１の正面側キャビネット３の厚さ方向（図１の上下方向、押圧式スイッチ５０の押込方向に垂直な方向）の中心位置Ｘと、押圧式スイッチ５０の押圧部の正面側キャビネット３の厚さ方向中心位置Ｙとがずれ量Ｚだけずれている。このずれ量Ｚの値は、特に限定されないが、例えば、押し子部４２の奥行長さ（図１の左右長さ）が３．８ｍｍ、押し子部４２間の距離が１７ｍｍ、キートップ４１の幅（図１の上下高さ）が１．５ｍｍに対し、ずれ量Ｚが０．４ｍｍとなっているこのように意図的にずれ量Ｚを保つことで、筐体が湾曲する形状であっても、キートップ４１の幅を押圧感触が悪化しない程度まで大きくすることができる。
【００２１】
さらに操作キー４０は、スイッチ用貫通孔３２の内周面及びその周縁に接触してガタツキを防止する複数のガタツキ防止部４４ａ〜４４ｄ（図５でハッチングで示す）を備えている。具体的には、図５（ａ）に示すように、キートップ４１における図１の上側（携帯電話機１の背面側）に第１ガタツキ防止部４４ａが直線状に延びている。同じ背面側の一対の押し子部４２の押圧式スイッチ５０側にそれぞれ第２ガタツキ防止部４４ｂが上下に距離を空けて設けられている。そして、図５（ｂ）に示すように、キートップ４１における図１の下側（携帯電話機１の正面側）に第３ガタツキ防止部４４ｃが直線状に延びている。同じ正面側の連結部４３の上下中央に略矩形状に第４ガタツキ防止部４４ｄが設けられている。
【００２２】
一対の第２ガタツキ防止部４４ｂと第１ガタツキ防止部４４ａとは、図１の左右方向に距離を空けて設けられている。一方、第１ガタツキ防止部４４ａと第３ガタツキ防止部４４ｃとの距離及び第２ガタツキ防止部４４ｂと第４ガタツキ防止部４４ｄとの距離はそれぞれできるだけ近付けることにより、押し子部４２の長さが長くなってもできるだけ傾かないようになっている。また、各ガタツキ防止部４４ａ〜４４ｄをそれぞれ離散的に設けることで、操作キー４０を操作するときの抵抗が大きくなりすぎるのを防止して押圧感触が悪化しないようにしている。
【００２３】
また、押し子部４２におけるスイッチ用貫通孔３２を超えて挿入された部分には、鉤状の抜け止め部４５が形成されている。抜け止め部４５は、図１に示すように、スイッチ用貫通孔３２を超えた後、その周縁に引っ掛かるように押し子部４２の挿入方向先端側に一体に形成されている。抜け止め部４５の正面側（図１の下側）の肉厚を薄くすることで、スイッチ用貫通孔３２に挿入するときに撓みやすくして挿入しやすくしている。なお、図１のように抜け止め部４５の正面側の肉厚を薄くしなかったとしても、図１に示すように、スイッチ用貫通孔３２の最も狭い幅Ａより、抜け止め部４５の高さＢが小さければ、押し子部４２及び連結部４３の厚さが薄く保たれているので、抜け止め部４５がスイッチ用貫通孔３２を通過するときに押し子部４２及び連結部４３を適度に撓ますことができる。
【００２４】
本実施形態の操作キー４０は、２つの押圧式スイッチ５０を押圧可能に構成されたシーソー式キーであり、図４及び図６で示すように、その上下中央部分には、操作キー４０をスイッチ用貫通孔３２の外へ押し戻す方向に付勢するクッション部材４６が当接している。
【００２５】
なお、図５に示すように、連結部４３とキートップ４１との両側の隅角部の上下中間は、連結部４３よりも膨出した膨出部４８が形成されており、これら膨出部４８により、スイッチ用貫通孔３２内周面との隙間を小さくして一対の押圧式スイッチ５０ができるだけ同時押しされないようにしている。
【００２６】
このように、本実施形態では、操作キー４０に複数のガタツキ防止部４４ａ〜４４ｄを設け、複数のガタツキ防止部４４ａ〜４４ｄをそれぞれスイッチ用貫通孔３２及びその周辺に当接させるようにしたので、押圧式スイッチ５０を奥側に設けても、操作キー４０が傾かず押圧感触が悪化しない。このため、厚さの薄くなった筐体の一面の奥側でも押圧式スイッチ５０を配置することができる。
【００２７】
また、本実施形態では、正面側キャビネット３、背面側キャビネット４及びリアカバー５は、全体として外周縁に向かって湾曲して厚さが薄くなっており、押し子部４２が正面側キャビネット３の厚さ方向に薄い板状に形成されている。このため、外周縁が湾曲しながら薄くなるような筐体であっても、操作キー４０を配置できると共に、押し子部４２の形状が正面側キャビネット３の厚さ方向に薄い板状となっているので、携帯電話機１の厚さを増やすことなく操作キー４０の押圧感触を保つことができる。
【００２８】
また、筐体は、フレーム板金３１がインサート成形された樹脂成形品よりなる正面側キャビネット３を含み、この正面側キャビネット３の樹脂部分３０で押圧式スイッチ５０の反力を受ける反力受部３３を形成したので、押圧式スイッチ５０の反力を受けるブラケットを別途設ける必要がない。
【００２９】
また、スイッチ用貫通孔３２及び反力受部３３をインサート成形時に一体に成形し、操作キー４０をスイッチ用貫通孔３２に外側から反力受部３３に向かって挿入されるように構成したので、従来のような反力受け及び保持のためのブラケットを別部品で成形する必要がなくなり、組付が容易となる。また、操作キー４０を外側から挿入すればよいので、操作キー４０の組付も極めて容易である。また、スイッチ用貫通孔３２及び反力受部３３を正面側キャビネット３のみで形成したので、複数の部品で形成する場合に比べて公差の蓄積による位置のばらつきがなくて位置精度が高い上、複数の部品で構成する場合のように荷重をかけたときに部品の間隔が変わることによる押圧感触の変化は発生しない。さらに部品点数が少なくなるので、部品代及び作業工賃の両面から製造コストが低くなる。
【００３０】
また、押し子部４２におけるスイッチ用貫通孔３２を超えて挿入された部分に鉤状の抜け止め部４５を形成したので、スイッチ用貫通孔３２の内側ではなく、外側から操作キー４０を押し込むことができ、押し込んだ後は、抜け止め部４５がスイッチ用貫通孔３２の周縁に引っ掛かるので、操作キー４０が抜けない。
【００３１】
また、本実施形態では、ガタツキ防止部４４ａ〜４４ｄを押し子部４２の押圧方向に間隔を空けて複数箇所に設けている。このように、ガタツキ防止部４４ａ〜４４ｄを複数の領域、特に押し込み方向に離れた位置に設けることで、押し子部４２の奥行長さが長くなっても操作キー４０のガタツキが抑制され、その押圧感触が悪化することはない。
【００３２】
また、ガタツキ防止部４４ａ〜４４ｄをキートップ４１の厚さ方向両側の側面及び押し子部４２（連結部４３を含む）の厚さ方向両側の側面に設けたので、操作キー４０の厚さ方向のガタツキがさらに抑えられる。
【００３３】
また、操作キー４０を２つの押圧式スイッチ５０を押圧可能に構成したシーソー式キーとし、その中央部分に操作キー４０を押し戻す方向に付勢するクッション部材４６を当接させ、このクッション部材４６により、操作キー４０をスイッチ用貫通孔３２の外へ押し出す方向に付勢することにより、携帯電話機１を振ったときに操作キー４０のガタツキにより音が発生することがない。また、操作キー４０を操作したときの感触がよくなり、また、クッション部材４６の反発力により、両方の押圧式スイッチ５０が同時に押されにくくなる。
【００３４】
したがって、本実施形態によると、厚さの薄くなった筐体の一面の奥側でも、ガタツキの少ない押圧感触のよい操作キー４０を設けることができる。
【００３５】
（実施形態２）
図７は本発明の実施形態２の携帯電話機１０１を示し、防水シート１４７を有する点で上記実施形態１と異なる。なお、以下の各実施形態では、図１〜図６と同じ部分については同じ符号を付してその詳細な説明は省略する。
【００３６】
本実施形態では、スイッチ用貫通孔３２の奥側周縁には、防水シート１４７が例えば両面テープ１４７ａにより、全周縁を覆うように貼り付けられている。これにより、押圧式スイッチ５０が防水シート１４７を介して押し子部４２に押圧されるように構成されている。
【００３７】
このようにスイッチ用貫通孔３２の部分で防水を行えば、押圧式スイッチ５０やそれが貼り付けられるスイッチ用フレキシブル基板５１を防水加工しなくてよいので、防水構造が簡易化される。
【００３８】
（実施形態３）
図８及び図９は本発明の実施形態３の携帯電話機２０１を示し、防水構造が上記各実施形態と異なる。
【００３９】
具体的には、押圧式スイッチ５０は、スイッチ用フレキシブル基板２５１に一体に設けられている。
【００４０】
そして、本実施形態では、反力受部２３３には、スイッチ用フレキシブル基板２５１の接続部２５１ａを挿通させるフレキ用貫通孔２３４が形成されている。本実施形態では、接続部２５１ａは、反力受部２３３の奥側に配置されたサブ基板２０７に接続されるようになっているが、この接続部２５１ａとサブ基板２０７とは一体でもよい。この場合、接続部２５１ａは不要である。スイッチ用フレキシブル基板２５１と接続部２５１ａとは一体となっているが、別体であってもよい。
【００４１】
そして、フレキ用貫通孔２３４は、防水部材としてのグロメット２３５により防水されている。グロメット２３５は、例えば、シリコンゴム、エラストマー等よりなり、例えば防水式のスイッチ用フレキシブル基板２５１に一体に形成されている。グロメット２３５をスイッチ用フレキシブル基板２５１と一体とせず、フレキシブル基板２５１の貫通孔通過部とグロメット２３５、グロメット２３５とフレキ用貫通孔２３４内周面との間に隙間がある場合は、この隙間を防水部材としての接着剤やコーキング剤で埋めて防水してもよい。あるいは、グロメット２３５を使用せず、フレキシブル基板２５１の貫通孔通過部とフレキ用貫通孔２３４内周面との隙間を防水部材としての接着剤やコーキング剤で埋めて防水してもよい。
【００４２】
本実施形態では、押圧式スイッチ５０及びスイッチ用フレキシブル基板２５１自身に防水機能を持たせ、反力受部２３３の部分に防水領域を持ってくることで、押圧式スイッチ５０と押し子部４２との間に、上記実施形態２のような防水シート１４７を介在させる必要がなくなり、ダイレクトな押圧感触が得られる。また、スイッチ用フレキシブル基板２５１が通るフレキ用貫通孔２３４をグロメット２３５で密封することにより、容易に防水構造を達成できる。
【００４３】
（実施形態４）
図１０は本発明の実施形態４に係る操作キー３４０を示し、連結部３４３の形状が上記各実施形態と異なる。
【００４４】
本実施形態の連結部３４３は、上記各実施形態の連結部４３に比べて部分的に切込部３４３ａが切り込まれている。このように、連結部３４３は、第４ガタツキ防止部４４ｄの面積が確保できれば、その他の部分を切り込んでもよい。
【００４５】
（その他の実施形態）
本発明は、上記各実施形態について、以下のような構成としてもよい。
【００４６】
すなわち、上記各実施形態では、スイッチ用貫通孔３２を筐体の一部である正面側キャビネット３に設けたが、例えば筐体の一面を背面側キャビネット４で構成する場合は、背面側キャビネット４に設けてもよい。また、スイッチ用貫通孔３２の正面側を正面側キャビネット３で形成し、背面側を筐体の一部である背面側キャビネット４で形成するようにしてもよい。そうすれば操作キー４０の組付性がよくなるが、上記各実施形態よりも防水面、剛性面等で劣る。
【００４７】
また、上記各実施形態では、操作キー４０は、２つの押圧式スイッチ５０を押圧するシーソー式スイッチとしたが、単独の押圧式スイッチ５０を押すスイッチでもよい。
【００４８】
さらに、上記各実施形態では、キートップ４１の正面側キャビネット３の厚さ方向中心位置Ｘと、押圧式スイッチ５０の押圧部の正面側キャビネット３の厚さ方向中心位置Ｙとのずれ量Ｚを確保しているが、このずれ量Ｚは０であってもよい。
【００４９】
上記実施形態では、正面側キャビネット３は、フレーム板金３１がインサートされた樹脂成形品としているが、このフレーム板金３１がインサートされていない樹脂成形品でもよい。
【００５０】
上記実施形態では、電子機器は、携帯電話機１としたが、厚さが薄くなった筐体の内部に押圧式スイッチ５０が内蔵されたものであれば、タブレット端末、ＰＨＳ（Personal Handy-phone System ）、ＰＤＡ(Personal Digital Assistant)、パソコン、モバイルツール、電子辞書、電卓、ゲーム機等であってもよく、小型の液晶ディスプレイ、液晶テレビ、ブルーレイディスクレコーダ、ＤＶＤレコーダ等であってもよい。
【００５１】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００５２】
１      携帯電話機（電子機器）
２      表示部
３      正面側キャビネット（筐体、キャビネット）
４      背面側キャビネット（筐体）
５      リアカバー（筐体）
６      充電池
７      回路基板
２０      カバー部材
２１      タッチパネル
２２      液晶ユニット
２３      バックライト
３０      樹脂部分
３１      フレーム板金
３２      スイッチ用貫通孔
３２ａ    キートップ収容凹部
３３      反力受部
４０      操作キー
４１      キートップ
４２      押し子部
４３      連結部
４４ａ    第１ガタツキ防止部
４４ｂ    第２ガタツキ防止部
４４ｃ    第３ガタツキ防止部
４４ｄ    第４ガタツキ防止部
４５      抜け止め部
４６      クッション部材
４８      膨出部
５０      押圧式スイッチ
５１      スイッチ用フレキシブル基板
１０１      携帯電話機（電子機器）
１４７      防水シート
１４７ａ    両面テープ
２０１      携帯電話機（電子機器）
２０７      サブ基板
２３３      反力受部
２３４      フレキ用貫通孔
２３５      グロメット（防水部材）
２５１      スイッチ用フレキシブル基板
２５１ａ    接続部
３４０      操作キー
３４３      連結部
３４３ａ    切込部
【図１】
2016031834.tif 000003
【図２】
2016031834.tif 000004
【図４】
2016031834.tif 000005
【図５】
2016031834.tif 000006
【図６】
2016031834.tif 000007
【図７】
2016031834.tif 000008
【図８】
2016031834.tif 000009
【図９】
2016031834.tif 000010
【図１０】
2016031834.tif 000011
【図３】
2016031834.tif 000012